(57)【特許請求の範囲】
【請求項１】
開閉自在の一対のアームからなる柄と、該柄における各アームの先端にそれぞれ取り付けられた開閉自在の一対の挟持部片からなる、清掃用シートを挟んで保持するためのヘッドとで構成され、
上記ヘッドを構成する一対の挟持部片が、基端部同士をヒンジ機能を持った接続部で相互に接続されることにより、該基端部を支点として先端部側が開閉自在なるように構成されていて、基端部と先端部との中間位置において上記アームにそれぞれ回動自在に取り付けられていることを特徴とするトイレ用清掃具。
【請求項２】
請求項１に記載の清掃具において、上記ヘッドがディスク形をしていて、凹凸状に形成されたシート取付面を外周に有すると共に、一対の挟持部片の対向部分に、シートを波形に変形させた状態で挟持可能な波形の挟持部を有し、各挟持部片の上面におけるヘッドの中心寄りの位置に上記各アームが、ヘッドの軸線に対して傾斜した角度に取り付けられていることを特徴とするもの。
【請求項３】
請求項２に記載の清掃具において、上記ヘッドの外周における少なくとも両挟持部片の基端部と先端部とに対応する部分に、該ヘッドの上方に向けて立ち上がった立壁部を有することを特徴とするもの。
【請求項４】
請求項１から３までの何れか１つに記載の清掃具において、上記ヘッドにおける一対の挟持部片が、軟質素材により、基端部同士が相互に連なった状態に一体形成されていることを特徴とするもの。
【発明の詳細な説明】
【０００１】
【発明の属する技術分野】
本発明はトイレ用清掃具に関するものであり、さらに詳しくは、トイレットペーパーやティッシュぺーパーのような使い捨て式の清掃用シートを使用して便器などを清掃する、トイレ用清掃具に関するものである。
【０００２】
【従来の技術】
一般に、便器等の清掃には、柄の先端にブラシや合成樹脂発泡体等からなる払掃体を備えた清掃具が使用されているが、この種のものは、清掃後に払掃体に付着した汚れが落ちにくく、該払掃体を洗うのに手間がかかっていた。
【０００３】
また、上記払掃体を洗っても、ブラシの繊維の間や発泡体の空隙の中に汚物等が付着したまま残ってしまうなど、完全に汚れを取り除くのは困難であるため、衛生上においても問題があった。
【０００４】
このような問題を解決するため、本出願人は、特開平９−１５４７７０号に開示されているように、トイレットペーパーやティッシュぺーパーのような使い捨て式の清掃用シートを使用して便器を衛生的に清掃することができる便器洗い具を提案した。これは、鋏式に開閉自在の一対のアームの先端にそれぞれ軟質体を取り付けた構成を有するもので、これらの軟質体の間にトイレットペーパーの一端を挟持させた状態で、該トイレットペーパーを軟質体の回りに多重に巻き付けて使用し、使用後は、給水して破れ易くなっている上記トイレットペーパーをアームを開くことによって破断し、軟質体から剥離させて廃棄するものである。
【０００５】
上記便器洗い具は、トイレットペーパー等のシートを使用して便器を洗浄するため軟質体に汚物が付着しにくく、従って使用後の軟質体の洗浄も簡単であり、しかも汚れたシートは簡単に廃棄することができるため、手軽に使用できて衛生的であるという利点を有する。
【０００６】
しかし、一対のアームの先端にそれぞれ軟質体を個別に取り付けた構成であるため、これらの軟質体を大きく開閉させることはできるが、逆に、軟質体を余り開かないようにした状態でトイレットペーパーを取り付る方が良い場合もあり、このような場合には却って作業が行いにくいということも考えられる。
【０００７】
【発明が解決しようとする課題】
本発明の主要な技術的課題は、トイレットペーパー等の清掃用シートを簡単且つ迅速に取り付けることができる、取り扱いの容易なトイレ用清掃具を提供することにある。
【０００８】
【課題を解決するための手段】
上記課題を解決するため、本発明によれば、開閉自在の一対のアームを備えた柄と、各アームの先端にそれぞれ取り付けられた開閉自在の一対の挟持部片からなるヘッドとで構成されたトイレ用清掃具が提供される。
上記ヘッドを構成する一対の挟持部片は、それらの基端部同士をヒンジ機能を持った接続部で相互に接続することにより、該基端部を支点として先端部側が開閉自在なるように構成されていて、基端部と先端部との間の位置でそれぞれ上記アームに回動自在に取り付けられている。
【０００９】
上記構成を有する清掃具は、水解性の清掃用シートを一対の挟持部片の基端部側からヘッドを取り囲むように巻き付けて、その両端部を両挟持部片の間に挟み込むことにより該ヘッドに装着し、その状態で便器等を清掃する。
【００１０】
上記シートを取り付けるに当り、ヘッドを構成する一対の挟持部片の基端部同士が相互に接続されて、先端部だけが開閉するようになっているため、これらの挟持部片に開度を規制されて柄が必要以上に大きく開くことがなく、このため、シートをヘッドに巻き付けたり挟持させたりする作業を簡単且つ迅速に行うことができる。
【００１１】
清掃が終わると、上記挟持部片を開いて汚れたシートをヘッドから解放し、便器内に廃棄して水と一緒に洗い流す。
【００１２】
本発明の具体的な実施形態によれば、上記ヘッドが円板形をしていて、その外周に、シートを筒状に巻き付けるための凹凸状をした取付面を有すると共に、一対の挟持部片の間に、シートを波形に折り曲げた状態で挟持可能な波形の挟持部を有し、各挟持部片の上面におけるヘッドの中心寄りの位置に上記各アームが、ヘッドの軸線に対して傾斜した角度に取り付けられている。
ヘッドをこのように構成することにより、清掃用シートを清掃し易い形状である筒形に、位置ずれしたり脱落したりすることのないように確実に取り付けることができる。
【００１３】
上記ヘッドには、その外周における少なくとも両挟持部片の基端部と先端部とに対応する部分に、該ヘッドの上方に向けて立ち上がった立壁部を設けることが望ましい。
これにより、ヘッドが扁平な円板形をしていてもシートを筒状に巻き付け易くなる。
【００１４】
本発明において好ましくは、上記ヘッドにおける一対の挟持部片が、軟質素材により、基端部同士が相互に連なった状態に一体形成されていることである。
【００１５】
【発明の実施の形態】
図１〜図３は本発明に係る清掃具の第１実施例を示すもので、この清掃具１Ａは、閉自在の一対のアーム２ａ，２ａからなる柄２と、該柄２における各アーム２ａ，２ａの先端にそれぞれ取り付けられた一対の挟持部片３ａ，３ａからなるヘッド３とによって構成されている。
【００１６】
上記柄２を構成する一対のアーム２ａ，２ａは、基端部において軸５で開閉自在に連結され、中間部には、両アーム２ａ，２ａを互いに離間する方向に若干湾曲させることにより開閉操作を容易にするための隙間を持たせた、グリップ部２ｂが形成されている。また、両アーム２ａ，２ａの先端部２ｃは基端部に対してθ（６０度程度が好ましい）なる角度に折り曲げられていて、この折り曲げられた先端部２ｃに上記ヘッド３における各挟持部片３ａ，３ａがそれぞれ取り付けられている。図中６は、アーム２ａ，２ａの閉鎖位置を規定する突起である。
【００１７】
一方、上記ヘッド３は、図４〜図６からも分かるように、半円形をした一対の挟持部片３ａ，３ａにより、全体として直径よりも厚さが小さい円形のディスク形に形成したもので、上記両挟持部片３ａ，３ａの基端部３ｂ同士をヒンジ機能を持った接続部１０で相互に接続することにより、該基端部３ｂを支点として先端部３ｃ側が開閉するように構成されている。そして上記各挟持部片３ａ，３ａには、ヘッド３の中心寄りの位置にそれぞれ取付穴１１が形成され、この取付１１穴内に各アーム２ａ，２ａの先端部２ｃが回動自在に挿入、係止せしめられることにより、柄２が該ヘッド３の軸線に対して傾斜した角度に取り付けられている。
【００１８】
上記ヘッド３は、図１、図２、図６にそれぞれ鎖線で示すように、適当な枚数積層したトイレットペーパーのような清掃用シート１３を外周に筒状に巻き付けると共に、その両端部を両挟持部片３ａ，３ａの挟持部３ｄ，３ｄの間に折り込んで挟持させるものである。その際、巻き付けたシート１３が滑ったり脱落したりすることのないように、ヘッド３の外周のシート取付面３ｅには鋸歯状の凹凸が付され、かつ上記各挟持部３ｄには、相互に噛合し合う凸部１４ａと凹部１４ｂとが形成されている。また、上記各挟持部３ｄは、シート１３を波形に折り曲げた状態で挟持することによってボリューム感を高めると共に有効使用面積を拡大できるように、波形に形成されている。
【００１９】
さらに上記ヘッド３には、両挟持部片３ａ，３ａの基端部３ｂから挟持部３ｄ及び先端部３ｃにかけて、該ヘッド３の上方に向けて立ち上がった立壁部１６が設けられている。この立壁部１６は、ヘッド３が薄いプレート状をしていても、シート１３を筒状に簡単に巻き付けられるようにするためのものである。特に、両挟持部片３ａ，３ａの先端部３ｃにおいては、外周に巻き付けたシート１３を挟持部３ｄ，３ｄの間へと折り曲げた際に、角部でシート１３が変形して筒形が崩れ易いが、上述したような立壁部１６を設けることによりこのような問題を解消することができる。なお、基端部３ｂ側の立壁部１６は、両挟持部片３ａ，３ａを接続するための上記接続部１０を兼ねている。
上記挟持部３ｄには立壁部１６を必ずしも設ける必要がない。
【００２０】
上記ヘッド３は、ゴムや合成ゴムあるいは合成樹脂のような軟質素材により、一対の挟持部片３ａ，３ａの基端部３ｂ同士が接続部１０で相互に連なった状態に一体形成されているが、両挟持部片３ａ，３ａを個別に形成して、それらをヒンジで接続しても良い。
【００２１】
上記構成を有する清掃具１Ａは、多重に積層したトイレットペーパー等の水解性のシート１３を、図６に示すように、柄２のアーム２ａ，２ａを開くことにより一対の挟持部片３ａ，３ａを開放した状態で、ヘッド３の外周の取付面３ｅに該ヘッド３を取り囲むように巻き付け、その両端部を挟持部３ｄ，３ｄの間に折り返して挟持させることにより、図１及び図２に示すように該ヘッド３に筒状に装着する。この場合、一対の挟持部片３ａ，３ａの基端部３ｂ同士が接続部１０で接続されて先端部３ｃだけが開閉するようになっているため、これらの挟持部片３ａ，３ａに開度を規制されて柄２のアーム２ａ，２ａが必要以上に大きく開くことがなく、このため、上記シート１３をヘッド３に巻き付けたり挟持させたりする作業を簡単に行うことができる。
【００２２】
シート１３を取り付けた上記清掃具は、該シート１３の筒状に垂下した下端部分や外周面等を便器などに押し付けて汚れを拭き取る。この場合、柄２のアーム２ａ，２ａが挟持部片３ａ，３ａの中央部に上から取り付けられているため、清掃時にヘッド３に力を加え易いばかりでなく、円板形をしたヘッド３の全周を清掃に有効に使用することができ、例えば、便器の返りの部分の汚れもヘッド３の後ろ側（挟持部片３ａ，３ａの基端部３ｂ側）の部分できれいにこすり取ることができる。
【００２３】
また、ヘッド３の挟持部３ｄ，３ｄが波形に形成されているため、シート１３が該挟持部３ｄ，３ｄによって自動的に波形に折り曲げられた状態で挟持されることになり、この結果、シート１３のボリュームが高められて使用感が向上すると同時に、その有効使用面積が増大して清掃効率も高められる。
【００２４】
清掃が終わると、上記アーム２ａ，２ａを開放することにより挟持部片３ａ，３ａを開いて汚れたシート１３をヘッド３から解放し、便器内に廃棄して水と一緒に洗い流す。
【００２５】
図７及び図８は本発明に係る清掃具の第２実施例の要部を示すもので、この清掃具１Ｂのヘッド３は、全体として楕円形に形成され、半楕円形をした一対の挟持部片３ａ，３ａに、それらの全周を取り囲むように立壁部１６が形成されている。この第２実施例では、ヘッド３の外周面は第１実施例のように凹凸状に形成されておらず、また、挟持部３ｄ，３ｄにも互いに噛合し合う凹部と突部は形成されていないが、それらを第１実施例と同様に形成しても良い。
なお、上記以外の構成は実質的に上記第１実施例と同じである。
【００２６】
【発明の効果】
以上に詳述したように、本発明の清掃具によれば、ヘッドを構成する一対の挟持部片の基端部同士が相互に接続されて、先端部だけが開閉するようになっているため、これらの挟持部片に開度を規制されて柄が必要以上に大きく開くことがなく、このため、その取り扱いが容易で、ヘッドにシートを巻き付けたり挟持させたりする作業を簡単且つ迅速に行うことができる。
【図面の簡単な説明】
【図１】本発明に係る清掃具の第１実施例を示す側面図である。
【図２】図１の平面図である。
【図３】図２の清掃具のヘッドを開放した状態を示す平面図である。
【図４】第１実施例の清掃具におけるヘッドの拡大平面図である。
【図５】図４におけるIV−IV線での断面図である。
【図６】図４のヘッドを開放した状態の平面図である。
【図７】本発明に係る清掃具の第２実施例を示す要部平面である。
【図８】図７におけるVIII−VIII線での断面図である。
【符号の説明】
１Ａ，１Ｂ  清掃具            ２  柄
２ａ  アーム                  ２ｃ  先端部
３  ヘッド                    ３ａ  挟持部片
３ｂ  基端部                  ３ｃ  先端部
３ｄ  挟持部                  ３ｅ  取付面
１０  接続部                  １３  シート
１６  立壁部
【図１】
0003803994.tif 000002
【図２】
0003803994.tif 000003
【図３】
0003803994.tif 000004
【図４】
0003803994.tif 000005
【図５】
0003803994.tif 000006
【図６】
0003803994.tif 000007
【図７】
0003803994.tif 000008
【図８】
0003803994.tif 000009